(57)【要約】      （修正有）【課題】ショルダーバックを手提げとして使用する時は、簡単操作で任意の長さに短縮することができる肩掛けベルトの長さ調整器具を提供する。【解決手段】肩掛けベルトの一端にベルト挿通用バックル２を取り付け、その挿通口２ａから肩掛けベルト１を抜き出し、ベルト誘導フック付係合部材３の挿通口３ａに当該ベルトを渡し込み、伸縮丸管３ｂで留め、肩掛けベルト１の中央部分より他端方向の任意の位置に係合部材４を固定する。手提げとして使用する時はベルト誘導フック付係合部材３をベルト挿通用バックル２から引き離し、ベルト固定式係合部材４に係合させて肩掛けベルト１の長さを短縮する。ベルト誘導フック付係合部材３とベルト固定式係合部材４は、面ファスナー，磁着体又は連結具を使用する。【選択図】図２
2005144098.tif 000002
【特許請求の範囲】
【請求項１】
ショルダーバックの肩掛けベルトの一端にベルト挿通用バックル２を固定し、その挿通口２ａから肩掛けベルト１を重ねて抜き出し、流動的にベルトを伸縮させるベルト誘導フック付係合部材３のベルト誘導フック口３ａに抜き出したベルトを渡し込み、このベルト誘導フック付係合部材３をベルト挿通用バックル２から引き離し、肩掛けベルト１の他端方向の任意の位置に固定した係合部材４に係合することにより肩掛けベルトの長さを短縮することを特徴とした肩掛けベルトの長さ調整器具。ベルト誘導フック付係合部材３とベルト固定式係合部材４を係合する資材として面ファスナーを使用する。
【請求項２】
前記肩掛けベルトのベルト誘導フック付係合部材３とベルト固定式係合部材４を係合する資材として一方を磁着体、他方を被磁着体として係合する。
【請求項３】
前記肩掛けベルトのベルト誘導フック付係合部材３とベルト固定式係合部材４を係合する資材としてベルト固定式係合部材４を雌の連結具、ベルト誘導フック付係合部材３を雄の連結具として係合する。
【発明の詳細な説明】
【技術分野】
【０００１】  本発明は、鞄などの肩掛けベルトに長さ調節器具を取り付け、ベルトを長くして肩掛けとしたり、ベルトを短くして手提げとして使用するなどの鞄などの肩掛けベルトに関するものである。
【背景技術】
【０００２】  従来、鞄などの肩掛けベルトは、ベルトが鞄に固定されていたり、あるいは取り外しが出来るベルトを備えた鞄などがあり、ベルト長の調整は尾錠等で吊り下げ位置を調整する程度の部分的な伸縮部分があった。
【発明の開示】
【発明が解決しようとする課題】
【０００３】  従来の肩掛けベルトは、鞄を手提げとして使用する時、把手と一緒に持ったり、長いままぶら下げたり、煩わしく邪魔になるという問題点があった。【０００４】  本発明は、肩掛けとして使用する時は、肩掛けベルトを流動的に装着したベルト誘導フック付係合部材を、肩掛けベルトの任意の位置に固定された肩掛けベルト固定式係合部材から外すだけの簡単操作で肩掛けベルトを流動的に装着したベルト誘導フック付係合部材が、ベルト一端に固定されたベルト挿通用バックル部分に鞄の自重で自動的に移動・係止し、肩掛けとして使用でき、また手提げとして使用する時は、肩掛けベルトを流動的に装着したベルト誘導フック付係合部材をベルトの任意の位置に固定されたベルト固定式係合部材に係合するだけで任意の長さに短縮して使用できる肩掛けベルトの長さ調整器具を提供することを課題にしている。
【課題を解決するための手段】
【０００５】  上記の課題を解決するために本発明は、ベルト挿通用バックル、ベルト誘導フック付係合部材、ベルト固定式係合部材の３点の部材から構成され、肩掛けベルトの一端（図１で右側）にベルト挿通用バックルを装着した上で、その挿通口よりベルトを重ねて抜き出し、これをベルト誘導フック付係合部材の誘導フック口に渡し込み伸縮丸管で止め、ベルトが自由に移動できるようにする。
一方、ベルト固定式係合部材は肩掛けベルト中央部分より他方向の任意の位置に押しバネ等で固定する。当該係合部材は双方の相対する面に面ファスナーの雌雄を装着し、着脱が容易にできることとする。
以上の３点の部材を上記の如く肩掛けベルトに装着することにより、ショルダーバックとして使用する時は、ベルト誘導フック付係合部材をベルト固定式係合部材から外すだけで鞄の自重でベルト誘導フック付係合部材に結合されたベルトがベルト挿通用バックルに移動・係止され肩掛けベルトを伸長して使用でき、手提げとして使用する時は、ベルト誘導フック付係合部材をベルト挿通用バックルから引き離し、肩掛けベルト固定式係合部材に接合するだけの簡単操作でベルトを短縮して使用できるものである。
【発明の効果】
【０００６】  肩掛けベルトを使用したい時は、係合部材の面ファスナーを剥がすだけでベルト長が伸長し、手提げとして使用する時は、ベルト誘導フック付係合部材を引き出し、一方の係合部材に係合するだけの簡単操作で肩掛けベルトを短縮して使用でき、把手と一緒にベルトを持ったり、長いままぶら下げたりする煩わしさを解消し、便利である。
【発明の実施するための最良の形態】
【０００７】  次に本発明の実施の形態を、図面に記載した実施例を用いて説明する。
図１は本発明の部材を装着した鞄全体の斜視図であり、ショルダーバックとして使用する時の形状を示している。図２は本発明の部材を取り付けた肩掛けベルトの拡大図、図３は鞄全体の斜視図であり、手提げとして使用する時のベルトを短縮した形状を示している。図４は本発明の部材の拡大図である。
【０００８】  図において、鞄本体１１の両側部には係止具１３が固定され、肩掛けベルト１の両端の吊りフック金物１２で係止するよう構成されている。
【０００９】  一方、肩掛けベルト１には本発明の構成部材のベルト挿通用バックル２とベルト固定式係合部材４を装着・固定する。
ベルト挿通用バックル２は肩掛けベルト１の尾錠５のない側の先端付近にノコギリ形の面をベルトに渡し込み、折り曲げて固定し、ベルト固定式係合部材４は肩掛けベルト１の尾錠５側の任意の位置に押しバネで固定する。更に、ベルト挿通用バックル２の挿通口２ａからベルトを重ねて抜き出し、ベルト誘導フック付係合部材３のベルト誘導フック口３ａに渡し込み、伸縮丸管３ｂをハの方向に移動させフックに装着する。
上記にて、肩掛けベルト１への本発明の部材の装着が完了する。
【００１０】  次に、作用について説明すると、ショルダーバックとして使用する時は、図１に示すごとく、ベルト誘導フック付係合部材３が肩掛けベルト１の一端に固定されたベルト挿通用バックル２に圧着・係止され、ベルトが伸長した状態として使用する。
【００１１】  これを手提げとして使用する時は、ベルト誘導フック付係合部材３をベルト挿通用バックル２からイの方向に引き離し、ベルト固定式係合部材４に面ファスナーで係合することでベルト挿通用バックル２とベルト固定式係合部材４の間の長さが約３分の１となり、肩掛けベルトの全体長が大幅に短縮し、鞄をぶら下げても邪魔になることが少なくなる。
【００１２】  手提げの状態からショルダーバックとして使用する時は、ベルト誘導フック付係合部材３とベルト固定式係合部材４を係合している面ファスナーを剥がすだけで鞄の自重でベルト誘導フック付係合部材３に通したベルトがロの方向に移動し、ベルト誘導フック付係合部材３がベルト挿通用バックル２に戻り、ベルト長が伸長してショルダーバックとしての使用が可能となる。
【図面の簡単な説明】
【００１３】
【図１】    本発明の部材を装着した鞄全体の斜視図
【図２】    本発明の部材を取り付けた肩掛けベルトの拡大図
【図３】    手提げとして使用する時の係合部材の装着方法を示す鞄全体の斜視図
【図４】    本発明の部材の拡大図で、イはベルト挿通用バックル、ロはベルト誘導フック付係合部材、ハ・ニ・ホはベルト固定式係合部材であり、ハは背面斜視図、ニは断面図、ホは正面斜視図である。
【符号の説明】
【００１４】  １    肩掛けベルト
２    ベルト挿通用バックル
２ａ  挿通口
３    ベルト誘導フック付係合部材
３ａ  ベルト誘導フック口
３ｂ  伸縮丸管
３ｃ  面ファスナー
４    ベルト固定式係合部材
４ａ  面ファスナー
４ｂ  押しバネ
５    尾錠
６    肩当て
７    把手
１１  鞄本体
１２  吊りフック金物
１３  係止具
【図１】
2005144098.tif 000003
【図２】
2005144098.tif 000004
【図３】
2005144098.tif 000005
【図４】
2005144098.tif 000006